(57)【要約】【課題】入力部が押し操作されたときに入力ユニットの撓みを抑制することを目的とする。【解決手段】パーソナルコンピュータ１０は、キーボードユニット６０と、マザーボードユニット７０とを有している。キーボードユニット６０は、押し操作により入力が行われる複数のキー６２を備えている。マザーボードユニット７０は、キーボードユニット６０の下面６４Ａと接触し又は近接する上面７０Ａを備えている。また、マザーボードユニット７０は、キーボードユニット６０の平面視で上面７０Ａが複数のキー６２の少なくとも一部と重なるように設けられている。【選択図】図１２Ａ
2014235663.tif 000002
【特許請求の範囲】
【請求項１】
押し操作により入力が行われる入力部を備えた入力ユニットと、
前記入力ユニットの下面と接触し又は近接する上面を備え、前記入力ユニットの平面視で前記上面が前記入力部の少なくとも一部と重なる支持ユニットと、
を有する電子装置。
【請求項２】
前記入力ユニットは、前記入力部としてのキーを有するキーボードユニットであり、
前記支持ユニットは、前記キーボードユニットからの電気信号が入力される回路基板を含む、
請求項１に記載の電子装置。
【請求項３】
前記回路基板の回路を形成する電子部品は、前記上面とは反対側の面に実装されており、前記上面が非実装面を有する、
請求項２に記載の電子装置。
【請求項４】
前記回路基板は、前記上面の全体が非実装面とされ、前記入力部が押し操作されたとき、前記上面の全体で前記入力ユニットを支持する、
請求項３に記載の電子装置。
【請求項５】
前記支持ユニットは、ハードディスクドライブユニット及びファンユニットの少なくとも一方を含む、
請求項１から請求項４のいずれか１項に記載の電子装置。
【発明の詳細な説明】
【技術分野】
【０００１】
本願の開示する技術は、電子装置に関する。
【背景技術】
【０００２】
従来、ユーザによるキーの押し操作により入力が行われるキーボードユニットと、キーボードユニットと高さ方向に間隔をあけて配置されたマザーボードユニットとを有する電子装置が知られている。
【先行技術文献】
【特許文献】
【０００３】
【特許文献１】特開２０１１−４８７３２号公報
【発明の概要】
【発明が解決しようとする課題】
【０００４】
しかしながら、このような電子装置では、間隔があいているため、ユーザがキーの押し操作を行うと、キーボードユニットが撓むことがある。
【０００５】
そこで、本願の開示する技術は、一つの側面として、入力部が押し操作されたときに入力ユニットの撓みを抑制することができる電子装置を提供することを目的とする。
【課題を解決するための手段】
【０００６】
上記目的を達成するために、本願の開示する技術によれば、入力ユニットと、支持ユニットとを有する電子装置が提供される。入力ユニットは、押し操作により入力が行われる入力部を備えている。支持ユニットは、入力ユニットの下面と接触し又は近接する上面を備えている。また、支持ユニットは、入力ユニットの平面視で、上面が入力部の少なくとも一部と重なるように設けられている。
【発明の効果】
【０００７】
本願の開示する技術によれば、入力部が押し操作されたときに入力ユニットの撓みを抑制することができる。
【図面の簡単な説明】
【０００８】
【図１】パーソナルコンピュータの斜視図である。
【図２】パーソナルコンピュータの分解斜視図である。
【図３】パーソナルコンピュータのアッパーカバー、両面テープ、及びキーボードユニットをその裏側から見た分解斜視図である。
【図４】アッパーカバーの底面図である。
【図５】アッパーカバーにキーボードユニットを組み付けた状態を示す底面図である。
【図６】アッパーカバーにマザーボードユニットを組み付けた状態を示す底面図である。
【図７】ロアカバーの平面図である。
【図８Ａ】マザーボードユニットの平面図である。
【図８Ｂ】マザーボードユニットの正面図である。
【図８Ｃ】マザーボードユニットの底面図である。
【図９Ａ】ハードディスクドライブユニットの平面図である。
【図９Ｂ】ハードディスクドライブユニットの正面図である。
【図１０Ａ】ファンユニットの平面図である。
【図１０Ｂ】ファンユニットの右側面図である。
【図１１】アッパーカバーの平面図である。
【図１２Ａ】パーソナルコンピュータの縦断面図（図１１のＡ−Ａ断面）である。
【図１２Ｂ】キーボードユニットをマザーボードユニットで支持する状態を示す拡大断面図（図１２Ａの破線ＳＡ内）である。
【図１３Ａ】パーソナルコンピュータの縦断面図（図１１のＢ−Ｂ断面）である。
【図１３Ｂ】キーボードユニットをハードディスクドライブユニットで支持する状態を示す拡大断面図（図１３Ａの破線ＳＢ内）である。
【図１４Ａ】パーソナルコンピュータの縦断面図（図１１のＣ−Ｃ断面）である。
【図１４Ｂ】キーボードユニットをファンユニットで支持する状態を示す拡大断面図（図１４Ａの破線ＳＣ内）である。
【図１５】各キーと、マザーボードユニット、ハードディスクドライブユニット、及びファンユニットとが重なる領域を示す平面図である。
【図１６Ａ】キーボードユニット及びマザーボードユニットの縦断面を模式的に示す要部拡大図である。
【図１６Ｂ】キーの押し操作を行ったときのキーボードユニット及びマザーボードユニットの縦断面を模式的に示す要部拡大図である。
【図１７Ａ】キーボードユニット及びハードディスクドライブユニットの縦断面を模式的に示す要部拡大図である。
【図１７Ｂ】キーの押し操作を行ったときのキーボードユニット及びハードディスクドライブユニットの縦断面を模式的に示す要部拡大図である。
【図１８Ａ】キーボードユニット及びファンユニットの縦断面を模式的に示す要部拡大図である。
【図１８Ｂ】キーの押し操作を行ったときのキーボードユニット及びファンユニットの縦断面を模式的に示す要部拡大図である。
【図１９Ａ】キーボードユニット及びミニカードコネクタの縦断面を模式的に示す要部拡大図である。
【図１９Ｂ】キーの押し操作を行ったときのキーボードユニット及びミニカードコネクタの縦断面を模式的に示す要部拡大図である。
【発明を実施するための形態】
【０００９】
以下、図面を参照しながら、本願の開示する技術の一実施形態を説明する。
【００１０】
なお、各図面において、パーソナルコンピュータ１０の幅方向を矢印Ｘ、奥行方向を矢印Ｙ、高さ方向（上下方向）を矢印Ｚで示す。また、パーソナルコンピュータ１０を構成する各部材の配置について、以後の説明では、後述する表示部１４を正面から見て、右側、左側、手前側、奥側、上側、下側と記載する。
【００１１】
図１には、本実施形態に係る電子装置の一例として、ノート型のパーソナルコンピュータ１０が示されている。パーソナルコンピュータ１０は、モニタ１２を備えた表示部１４と、後述するキーボードユニット６０を備えた本体部１６とを有している。
【００１２】
表示部１４は、本体部１６の後壁部１８に図示しないヒンジを介して回動可能に取り付けられている。そして、表示部１４は、本体部１６に対して起立された展開状態と、本体部１６に重ね合わされるように倒伏された収納状態とを取り得るようになっている。図１では、表示部１４が展開状態で示されている。
【００１３】
本体部１６は、アッパーカバーアッセンブリ２０とロアカバー２２とを備えている。アッパーカバーアッセンブリ２０とロアカバー２２との間に形成された空間部には、後述するマザーボードユニット７０、ハードディスクドライブユニット８０、及びファンユニット９０（図２参照）と、バッテリ５０（図６参照）等の機器とが収容されている。さらに、アッパーカバーアッセンブリ２０とロアカバー２２との間の空間部には、後述するタッチパッドユニット５１（図５参照）が収容されている。
【００１４】
アッパーカバーアッセンブリ２０は、図２及び図３に示されるように、金属製のアッパーカバー３０と、キーボードユニット６０とを備えている。また、図３に示されるように、キーボードユニット６０は、複数のキー６２（図１参照）の各々に対応する大きさで打ち抜かれた両面テープ６１により、アッパーカバー３０の裏面３１（格子部）に貼り付けられている。
【００１５】
図４に示されるように、アッパーカバー３０は、筐体の一例であり、プレス成形により形成されている。アッパーカバー３０には、複数のキー６２（図１参照）を露出させるための複数の開口３２や、後述するタッチパッドユニット５１（図５参照）のタッチパッド５２（図１参照）等を露出させるための開口３４等が形成されている。複数の開口３２は、複数のキー６２の各々に対応する大きさで形成されている。
【００１６】
また、アッパーカバー３０は、平面視にて長方形状に形成されている。そして、アッパーカバー３０の周縁には、Ｘ方向で対向する右側壁３３Ａ、左側壁３３Ｂ、Ｙ方向手前側の前壁３５、及び奥側の後壁３７が、Ｚ方向に沿って直立している。さらに、アッパーカバー３０には、ネジ（図示省略）が締結される締結孔が形成された締結部３６Ａ、３６Ｃ、３６Ｄ、３６Ｅ、３６Ｆと、位置決めピン３６Ｂとが設けられている。
【００１７】
締結部３６Ａは、アッパーカバー３０のＹ方向両端部でＸ方向に間隔をあけて３箇所、及びＹ方向中央部でＸ方向に間隔をあけて２箇所の合計８箇所に設けられている。また、締結部３６Ａは、ロアカバー２２（図２参照）をアッパーカバー３０に固定する際に用いられる。
位置決めピン３６Ｂは、アッパーカバー３０の奥側の端部で、且つＸ方向両端部に１箇所ずつの合計２箇所に設けられている。また、位置決めピン３６Ｂは、キーボードユニット６０（図２参照）をアッパーカバー３０に位置決めする際に用いられる。
締結部３６Ｃは、アッパーカバー３０の右側の端部でＹ方向に間隔をあけて２箇所、及びアッパーカバー３０の奥側の端部で左側の端部に近い位置に１箇所の合計３箇所に設けられている。また、締結部３６Ｃは、マザーボードユニット７０（図２参照）をアッパーカバー３０に固定する際に用いられる。
締結部３６Ｄは、アッパーカバー３０の奥側の端部で且つＸ方向中央部に１箇所設けられている。また、締結部３６Ｄは、ハードディスクドライブユニット８０（図２参照）をアッパーカバー３０に固定する際に用いられる。
締結部３６Ｅは、アッパーカバー３０の左側（図示の右側）の端部でＹ方向に間隔をあけて２箇所設けられている。また、締結部３６Ｅは、ファンユニット９０（図２参照）をアッパーカバー３０に固定する際に用いられる。
締結部３６Ｆは、アッパーカバー３０のＹ方向中央部でＸ方向に間隔をあけて２箇所設けられている。また、締結部３６Ｆは、バッテリ５０（図６参照）をアッパーカバー３０に固定する際に用いられる。
【００１８】
図７に示されるように、ロアカバー２２は、筐体の一例であり、チクソ成形により形成されている。ロアカバー２２には、円柱状のボス２４がＺ方向を軸方向として複数箇所に立設されている。また、ロアカバー２２には、ボス２４の外周面とロアカバー２２のＺ方向上面とを繋ぐようにして、ボス２４の径方向外側へ張り出した板状のリブ２６が形成されている。
【００１９】
さらに、ロアカバー２２は、平面視にて長方形に形成されており、ロアカバー２２の周囲には、Ｚ方向に直立する側壁部２８が形成されている。加えて、ロアカバー２２には、Ｚ方向に貫通され、本体部１６（図１参照）内から外部へ排気するための排気口２９が形成されている。排気口２９は、後述するファンユニット９０（図２参照）とＺ方向で対向する位置に形成されている。
【００２０】
図１に示されるように、キーボードユニット６０は、一例として、隣り合うキー６２がＸ方向及びＹ方向に間隔をあけて配置されたアイソレーションタイプとなっており、アッパーカバー３０及びロアカバー２２内に収容されている。このキーボードユニット６０は、入力ユニットの一例である。また、キーボードユニット６０は、一例として、平面視でＸ方向が長手方向、Ｙ方向が短手方向の長方形状となっている。図３に示されるように、このキーボードユニット６０は、本体となる金属製のシャーシプレート６４と、シャーシプレート６４に支持され、ユーザの押し操作により入力が行われる入力部の一例としての複数のキー６２（図１参照）とを有している。
【００２１】
シャーシプレート６４は、平面視で外形が長方形状に形成されている。また、シャーシプレート６４は、Ｘ−Ｙ面に沿って、ロアカバー２２（図７参照）と対向配置される下面６４Ａを有している。さらに、シャーシプレート６４の周縁部には、手前側に向けて突出した複数の取付片６４Ｂと、奥側に向けて突出した２箇所の取付片６４Ｃとが形成されている。
【００２２】
また、取付片６４Ｃは、Ｚ方向に貫通した貫通孔（図示省略）が形成されており、アッパーカバー３０の位置決めピン３６Ｂ（図４参照）に位置決めされる。
【００２３】
図８Ａ、図８Ｂ、及び図８Ｃに示されるように、マザーボードユニット７０は、回路基板の一例であり、キーボードユニット６０（図２参照）からの電気信号が入力されるようになっている。また、マザーボードユニット７０は、上側の上面７０Ａと、下側の下面７０Ｂとを有している。さらに、マザーボードユニット７０には、Ｘ方向一端部から他端部へ向けて切り込まれた外形の開口７０Ｃが形成され、Ｙ方向一端部から他端部へ向けて切り込まれた外形の開口７０Ｄが形成されている。加えて、マザーボードユニット７０の周縁部には、アッパーカバー３０の締結部３６Ｃ（図４参照）に締結される取付片７０Ｅが３箇所形成されている。
【００２４】
上面７０Ａは、キーボードユニット６０の下面６４Ａ（図３参照）と対向する領域に電子部品等が実装されていない非実装面を含んでいる。なお、上面７０Ａには、マザーボードユニット７０における回路を安定的に動作させるためのフレームグラウンド（ＦＧ）７２が設けられている。フレームグラウンド７２は、一例として、マザーボードユニット７０の周縁部に間隔をあけて７箇所設けられている。
【００２５】
図８Ｃに示されるように、下面７０Ｂは、ロアカバー２２（図７参照）の上面と対向配置される面であり、下面７０Ｂには、各種の電子部品が搭載（実装）される。各種の電子部品には、一例として、パーソナルコンピュータ１０の全体の制御を担っているＣＰＵ（Central Processing Unit）７４や、ＣＰＵ７４等におけるデータ通信等を制御するチップセット（図示省略）、メモリ基板７６等が含まれる。また、下面７０Ｂには、ハードディスクドライブユニット８０のコネクタ８４（図９Ａ参照）が接続されるコネクタ７３が設けられている。
【００２６】
マザーボードユニット７０に搭載されている各種の電子部品、特にＣＰＵ７４は、信号処理を実行すると発熱する部品であり、発熱による誤動作等を回避するために、パーソナルコンピュータ１０の動作中は冷却されることが好ましい。そこで、ＣＰＵ７４には、ＣＰＵ７４の熱を後述する放熱フィン７８に伝えるヒートパイプ７７の一端部が接触している。そして、ヒートパイプ７７の他端部は、放熱フィン７８に接触している。放熱フィン７８は、金属製の複数の板状部が間隔をあけて並べられたものであり、一例として、アッパーカバー３０の左側壁３３Ｂ（図４参照）に隣接して配置される。
【００２７】
開口７０Ｃは、マザーボードユニット７０をＺ方向に貫通しており、内側にファンユニット９０（図２参照）を収容可能な大きさとなっている。また、開口７０Ｄは、マザーボードユニット７０をＺ方向に貫通しており、内側にハードディスクドライブユニット８０（図２参照）を収容可能な大きさとなっている。
【００２８】
図９Ａ及び図９Ｂに示されるように、ハードディスクドライブユニット８０は、金属製で直方体状の本体ケース８２を有している。本体ケース８２は、ネジ８３（図２参照）でアッパーカバー３０（図２参照）に固定される。また、ハードディスクドライブユニット８０には、マザーボードユニット７０のコネクタ７３（図８Ａ参照）が接続されるコネクタ８４が設けられている。そして、本体ケース８２におけるＺ方向上側に配置される上面８２Ａは、キーボードユニット６０の下面６４Ａ（図３参照）と対向する領域が平坦な面となっている。なお、ハードディスクドライブユニット８０には、各種のデータが記憶されるようになっている。
【００２９】
図１０Ａ及び図１０Ｂに示されるように、ファンユニット９０は、本体となるカバーの一例としてのファンカバー９２を有している。ファンカバー９２内には、Ｚ方向を軸方向として回転駆動される回転軸（図示省略）、及びこの回転軸の外周に一体で形成された複数の回転羽根（図示省略）が設けられている。そして、ファンユニット９０は、ＣＰＵ７４（図８Ｃ参照）及び本体部１６（図１参照）内を冷却するようになっている。
【００３０】
ファンカバー９２は、Ｚ方向上側に配置される上面９２Ａと、Ｚ方向下側に配置される下面９２Ｂ（図６参照）と、側面９２Ｃとを有している。上面９２Ａは、キーボードユニット６０の下面６４Ａ（図３参照）と対向する領域が平坦な面となっている。また、下面９２Ｂには、Ｚ方向に貫通した吸気口９２Ｄ（図６参照）が形成されている。
【００３１】
さらに、側面９２Ｃのうち  左側壁３３Ｂ（図４参照）と対向する部位には、Ｘ方向に貫通した送風口（図示省略）が形成されている。この送風口は、放熱フィン７８（図８Ａ参照）と対向配置される。これにより、複数の回転羽根（図示省略）による送風が放熱フィン７８に吹き付けられ、ヒートパイプ７７（図８Ｃ参照）を介して、ＣＰＵ７４（図８Ｃ参照）が間接的に冷却されるようになっている。
【００３２】
また、ファンカバー９２のＸ方向端部には、左側に向けて突出した突出部９３、９４が形成されている。突出部９３、９４には、Ｚ方向に貫通した貫通孔９３Ａ、９４Ａが形成されている。そして、突出部９３、９４は、既述の締結部３６Ｅ（図４参照）にネジ（図示省略）で締結される。
【００３３】
図５に示されるように、タッチパッドユニット５１は、キーボードユニット６０よりも手前側に設けられている。また、タッチパッドユニット５１は、一例として、ポインティングデバイスであるタッチパッド５２（図１参照）と、一つのボタン５４Ａ（図５参照）とを有している。
【００３４】
図６に示されるように、バッテリ５０は、平面視で長方形状の底部５６を有している。底部５６には、アッパーカバー３０に取り付けられる取付部５８が設けられている。そして、バッテリ５０は、キーボードユニット６０と前壁３５との間に底部５６が配置された状態で、取付部５８を既述の締結部３６Ｆ（図４参照）にネジ５７で締結することで、アッパーカバー３０に取り付けられている。
【００３５】
次に、パーソナルコンピュータ１０の組み付け手順について説明する。
【００３６】
図３に示されるように、キーボードユニット６０が、アッパーカバー３０の裏側に両面テープ６１で貼り付けられる。そして、図５に示されるように、キーボードユニット６０の取付片６４Ｃが、位置決めピン３６Ｂ（図４参照）に位置決めされる。これにより、アッパーカバー３０にキーボードユニット６０が取り付けられ、図１に示されるように、複数のキー６２がアッパーカバー３０の上面に露出する。
【００３７】
続いて、図２に示されるように、マザーボードユニット７０にファンユニット９０が組み付けられた状態で、マザーボードユニット７０の下面７０Ｂが、ロアカバー２２に向けられる。そして、マザーボードユニット７０の取付片７０Ｅが、ネジ７５で締結部３６Ｃ（図４参照）に締結される。これにより、キーボードユニット６０の下側にマザーボードユニット７０及びファンユニット９０が配置される。そして、図６に示されるように、ハードディスクドライブユニット８０のコネクタ８４（図９Ａ参照）が、マザーボードユニット７０のコネクタ７３に接続される。
【００３８】
続いて、図６に示されるように、バッテリ５０がキーボードユニット６０と前壁３５との間に配置された状態で、取付部５８が、ネジ５７で締結部３６Ｆ（図４参照）に締結される。これにより、バッテリ５０がアッパーカバー３０に取り付けられる。そして、キーボードユニット６０の手前側の端部が、バッテリ５０に支持される。
【００３９】
続いて、図２に示されるように、ロアカバー２２が、８本のネジ２７によりアッパーカバー３０に締結される。これにより、本体部１６が出来上がる。そして、図１に示されるように、本体部１６に表示部１４が接続され、ヒンジ部（図示省略）が形成されることで、パーソナルコンピュータ１０が出来上がる。
【００４０】
次に、パーソナルコンピュータ１０の断面構造について説明する。
【００４１】
図１１は、本体部１６の平面図であり、Ｘ方向中央でＹ方向に延びる破断線Ａ−Ａと、破断線Ａ−Ａよりも右側でＹ方向に延びる破断線Ｂ−Ｂと、破断線Ａ−Ａよりも左側でＹ方向に延びる破断線Ｃ−Ｃとが示されている。破断線Ａ−Ａの断面図は、図１２Ａ、破断線Ｂ−Ｂの断面図は、図１３Ａ、破断線Ｃ−Ｃの断面図は、図１４Ａに示されている。
【００４２】
図１２Ａ及び図１２Ｂに示されるように、本体部１６のＸ方向中央では、キーボードユニット６０のＺ方向下側にマザーボードユニット７０が配置されている。キーボードユニット６０の下面６４Ａとマザーボードユニット７０の上面７０Ａとは、一例として、Ｚ方向に０．１[ｍｍ]の間隔ｄ１をあけて対向配置されており、近接している。近接とは、キー６２が押し操作されたときにシャーシプレート６４と接触する位置に配置されていることを言う。なお、ミニカードコネクタ７９の上面７９Ａ（図１７Ａ参照）は、平坦であり、一例として、キーボードユニット６０の下面６４Ａと接触している。
【００４３】
また、マザーボードユニット７０のフレームグラウンド７２（図８Ａ参照）等には、一例として、導電性のゴムで形成されたガスケット３９が貼り付けられている。そして、ガスケット３９が、ロアカバー２２のボス２４のＺ方向先端に接触している。すなわち、マザーボードユニット７０は、ガスケット３９を介して複数のボス２４により支持されている。
【００４４】
図１３Ａ及び図１３Ｂに示されるように、本体部１６のハードディスクドライブユニット８０が設けられた部位では、キーボードユニット６０のＺ方向下側にハードディスクドライブユニット８０が配置されている。ハードディスクドライブユニット８０の上面８２Ａは、一部がキーボードユニット６０の下面６４Ａと接触しており、残りの部分が、一例として、下面６４ＡとＺ方向に０．２[ｍｍ]の間隔ｄ２をあけて対向配置され、近接している。なお、図１３Ａ及び図１３Ｂでは、シャーシプレート６４に対してキー６２を押し操作可能に支持する部材の図示を省略している。
【００４５】
図１４Ａ及び図１４Ｂに示されるように、本体部１６のファンユニット９０が設けられた部位では、キーボードユニット６０のＺ方向下側にファンユニット９０が配置されている。ファンユニット９０の上面９２Ａは、一例として、下面６４ＡとＺ方向に０．１[ｍｍ]の間隔ｄ３をあけて対向配置され、近接している。なお、図１４Ａ及び図１４Ｂでは、シャーシプレート６４に対してキー６２を押し下げ可能に支持する部材の図示を省略している。
【００４６】
図１５には、本体部１６を平面視して、キーボードユニット６０のキー６２と、マザーボードユニット７０、ミニカードコネクタ７９、ハードディスクドライブユニット８０、及びファンユニット９０との重なる領域が斜線で示されている。ハードディスクドライブユニット８０とファンユニット９０は、Ｘ方向に間隔をあけて配置されている。
【００４７】
図１５に示されるように、キーボードユニット６０の複数のキー６２のうち、Ｘ方向中央、Ｙ方向手前側、及びＸ方向右側に配置された複数のキー６２Ａは、少なくとも一部が、マザーボードユニット７０と重なっている。また、複数のキー６２のうち、Ｘ方向中央よりも右側で且つＹ方向奥側に配置された複数のキー６２Ｂは、少なくとも一部が、ハードディスクドライブユニット８０と重なっている。
【００４８】
さらに、複数のキー６２のうち、Ｘ方向中央よりも左側に配置された複数のキー６２Ｃは、少なくとも一部が、ファンユニット９０と重なっている。加えて、複数のキー６２のうち、Ｘ方向中央よりも右側で且つＹ方向手前側に配置された複数のキー６２Ｄは、少なくとも一部が、ミニカードコネクタ７９と重なっている。
【００４９】
マザーボードユニット７０、ハードディスクドライブユニット８０、ファンユニット９０、及びミニカードコネクタ７９は、キー６２Ａ、６２Ｂ、６２Ｃ、及び６２Ｄの押し操作の押圧力に抵抗する抵抗力が、ほぼ同じとなるように設けられている。具体的には、この抵抗力がほぼ同じとなるように、マザーボードユニット７０、ハードディスクドライブユニット８０、ファンユニット９０、及びミニカードコネクタ７９について、材質（曲げ剛性）、配置、及びキーボードユニット６０との間隔が設定されている。
【００５０】
次に、本実施形態の作用及び効果について説明する。
【００５１】
図１６Ａに示されるように、キー６２ＡがＺ方向に沿って下向きの押圧力Ｆで押し操作されたとき、シャーシプレート６４は、マザーボードユニット７０に向けて撓み始める。ここで、シャーシプレート６４とマザーボードユニット７０は、既述のように、間隔ｄ１が０．１[ｍｍ]と狭く、近接している。
【００５２】
また、図１５に示されるように、キー６２Ａの少なくとも一部は、平面視でマザーボードユニット７０と重なっている。このため、図１６Ｂに示されるように、シャーシプレート６４が撓み始めるとすぐに、シャーシプレート６４の下面６４Ａがマザーボードユニット７０の上面７０Ａと接触する。すなわち、キー６２Ａの押し操作による集中荷重の入力部位がマザーボードユニット７０で支持される。これにより、本実施形態のパーソナルコンピュータ１０では、キー６２Ａを押し操作したとき、キーボードユニット６０の撓み（沈み込み）を抑制することができる。
【００５３】
同様に、図１７Ａに示されるように、キー６２ＢがＺ方向に沿って下向きの押圧力Ｆで押し操作されたとき、シャーシプレート６４は、ハードディスクドライブユニット８０に向けて撓み始める。ここで、シャーシプレート６４とハードディスクドライブユニット８０は、一部が、０．２[ｍｍ]の間隔ｄ２をあけて近接しており、残りの部位が接触している。また、図１５に示されるように、キー６２Ｂの少なくとも一部は、ハードディスクドライブユニット８０と重なっている。
【００５４】
このため、図１７Ｂに示されるように、シャーシプレート６４が撓み始めるとすぐに、シャーシプレート６４の下面６４Ａがハードディスクドライブユニット８０の上面８２Ａと接触する。そして、キー６２Ｂの押し操作による集中荷重の入力部位がハードディスクドライブユニット８０で支持される。これにより、本実施形態のパーソナルコンピュータ１０では、キー６２Ｂを押し操作したとき、キーボードユニット６０の撓みを抑制することができる。
【００５５】
同様に、図１８Ａに示されるように、キー６２ＣがＺ方向に沿って下向きの押圧力Ｆで押し操作されたとき、シャーシプレート６４は、ファンユニット９０に向けて撓もうとする。ここで、シャーシプレート６４の下面６４Ａとファンユニット９０の上面９２Ａは、一部が、０．１[ｍｍ]の間隔で近接している。また、図１５に示されるように、キー６２Ｃの少なくとも一部は、ファンユニット９０と重なっている。
【００５６】
このため、本実施形態のパーソナルコンピュータ１０では、図１８Ｂに示されるように、キー６２Ｃの押し操作による集中荷重の入力部位がファンユニット９０で支持される。これにより、本実施形態のパーソナルコンピュータ１０では、キー６２Ｃを押し操作したとき、キーボードユニット６０の撓みを抑制することができる。なお、図１６Ａ、１６Ｂ、１７Ａ、１７Ｂ、１８Ａ、及び図１８Ｂでは、シャーシプレート６４と、マザーボードユニット７０、ハードディスクドライブユニット８０、及びファンユニット９０との間隔を誇張して描いている。
【００５７】
一方、図１９Ａに示されるように、キー６２ＤがＺ方向に沿って下向きの押圧力Ｆで押し操作されたとき、シャーシプレート６４は、ミニカードコネクタ７９に向けて撓もうとする。ここで、シャーシプレート６４の下面６４Ａとミニカードコネクタ７９の上面７９Ａとが接触している。また、図１５に示されるように、キー６２Ｄの少なくとも一部は、ミニカードコネクタ７９と重なっている。
【００５８】
このため、本実施形態のパーソナルコンピュータ１０では、図１９Ｂに示されるように、キー６２Ｄの押し操作による集中荷重の入力部位が、ミニカードコネクタ７９で支持される。これにより、本実施形態のパーソナルコンピュータ１０では、キー６２Ｄを押し操作したとき、キーボードユニット６０の撓みを抑制することができる。
【００５９】
このように、本実施形態のパーソナルコンピュータ１０では、パーソナルコンピュータ１０の内部に設けられたユニットを利用することで、キー６２の押し操作による集中荷重の入力部位が支持されるので、キーボードユニット６０の撓みを抑制することができる。
【００６０】
また、本実施形態のパーソナルコンピュータ１０では、板状のマザーボードユニット７０が、複数のキー６２（キーボードユニット６０）を支持する。これにより、本実施形態のパーソナルコンピュータ１０では、広範囲の支持面を簡単に得ることができる。
【００６１】
また、本実施形態のパーソナルコンピュータ１０では、マザーボードユニット７０が、下面７０ＢにＣＰＵ７４等が実装され、上面７０Ａが非実装面とされている。これにより、本実施形態のパーソナルコンピュータ１０では、マザーボードユニット７０の高さが、片面側の電子部品の高さとなるので、マザーボードユニット７０の両面側に電子部品を実装した構成と比べて、パーソナルコンピュータ１０の薄型化が可能となる。
【００６２】
また、本実施形態のパーソナルコンピュータ１０では、ミニカードコネクタ７９がキーボードユニット６０を支持する。このため、本実施形態のパーソナルコンピュータ１０では、マザーボードユニット７０の面積が小さい場合でも、ミニカードコネクタ７９でキーボードユニット６０が支持される。これにより、本実施形態のパーソナルコンピュータ１０では、キーボードユニット６０の支持面積を拡げてキーボードユニット６０の撓みを抑制することができる。
【００６３】
また、本実施形態のパーソナルコンピュータ１０では、金属製の本体ケース８２を有するハードディスクドライブユニット８０がキーボードユニット６０を支持する。これにより、本実施形態のパーソナルコンピュータ１０では、キーボードユニット６０を支持する部位の曲げ剛性が高められるので、キー６２に作用する押圧力Ｆが高い場合でも、キーボードユニット６０の撓みを抑制することができる。さらに、本実施形態のパーソナルコンピュータ１０では、ハードディスクドライブユニット８０が、マザーボードユニット７０の開口７０Ｄ内に収容されることで、キーボードユニット６０の下側に配置される。このため、平面視でハードディスクドライブユニット８０がキーボードユニット６０の外側に配置される構成に比べて、省スペース化が可能となる。
【００６４】
また、本実施形態のパーソナルコンピュータ１０では、ファンカバー９２を有するファンユニット９０がキーボードユニット６０を支持する。これにより、本実施形態のパーソナルコンピュータ１０では、キーボードユニット６０をファンユニット９０で支持しない構成と比べて、キーボードユニット６０の支持面積を拡げてキーボードユニット６０の撓みを抑制することができる。さらに、本実施形態のパーソナルコンピュータ１０では、ファンユニット９０が、マザーボードユニット７０の開口７０Ｃ内に収容されることで、キーボードユニット６０の下側に配置される。このため、平面視でファンユニット９０がキーボードユニット６０の外側に配置される構成に比べて、省スペース化が可能となる。
【００６５】
また、本実施形態のパーソナルコンピュータ１０では、マザーボードユニット７０、ミニカードコネクタ７９、ハードディスクドライブユニット８０、及びファンユニット９０の材質、配置、間隔等が、キー６２の押し操作時の抵抗力が同じとなるように設定されている。これにより、本実施形態のパーソナルコンピュータ１０では、ユーザー（図示省略）が複数のキー６２を押し操作したときに感じる抵抗力（押し感）を、キーボードユニット６０の各部で同じにすることができる。
【００６６】
また、本実施形態のパーソナルコンピュータ１０では、平面視で長方形状のキーボードユニット６０を、Ｘ方向（長手方向）に間隔をあけて配置されたハードディスクドライブユニット８０及びファンユニット９０で支持している。これにより、Ｙ方向（短手方向）に比べて剛性の低いＸ方向（長手方向）におけるキーボードユニット６０の撓みを抑制することができる。さらに、ファンユニット９０よりも曲げ剛性の高いハードディスクドライブユニット８０をキーボードユニット６０の中央に近い位置に配置しているので、キーボードユニット６０の中央での撓みを抑制することができる。
【００６７】
また、本実施形態のパーソナルコンピュータ１０では、マザーボードユニット７０が複数のボス２４で支持されているので、各種電子部品の実装空間を確保すると共に、マザーボードユニット７０の曲げ剛性を高めることができる。
【００６８】
また、本実施形態のパーソナルコンピュータ１０では、キーボードユニット６０がアッパーカバー３０に両面テープ６１で貼り付けられているので、キーボードユニット６０とアッパーカバー３０との隙間が両面テープ６１で閉じられる。これにより、キーボードユニット６０に水等の液体がかかったときに、本体部１６内への液体の浸入を抑制することができる。さらに、キーボードユニット６０がアイソレーションタイプのため、隣合うキー６２とキー６２との間に両面テープ６１を設けることができる。
【００６９】
次に、本実施形態の変形例について説明する。
【００７０】
上記実施形態において、電子装置の一例として、ノート型のパーソナルコンピュータ１０について記載したが、タッチパッドやスマートフォン（登録商標）等、その他の電子装置であってもよい。
【００７１】
また、入力ユニットは、キー６２を押し下げて接点を接触させる機械的なキーボードユニット６０だけでなく、押圧したときの歪を検出する抵抗膜式や、接触した時の電位の変化を検出する静電式のタッチパッドユニット等であってもよい。
【００７２】
また、マザーボードユニット７０の上面７０Ａは、電子部品が実装されていなければ、回路パターンが形成されていてもよい。さらに、マザーボードユニット７０におけるボス２４で支持される部位は、フレームグラウンド７２とは異なる部位であってもよい。加えて、マザーボードユニット７０の大きさは、キーボードユニット６０の下面６４Ａより大きくても、小さくてもよい。また、マザーボードユニット７０は、上面７０Ａ全体が非実装面で構成され、全体でキーボードユニット６０を支持してもよい。さらに、マザーボードユニット７０の上面７０Ａは、キーボードユニット６０の下面６４Ａと対向しない部位であれば、電子部品が実装されていてもよい。
【００７３】
また、支持ユニットは、単数及び種類の異なる複数のものに限らず、同じ種類のものが複数あってもよい。例えば、２枚以上の複数枚のマザーボードユニット７０、２台以上のハードディスクドライブユニット８０、２つ以上のミニカードコネクタ７９、２台以上のファンユニット９０を用いてもよい。さらに、支持ユニットは、マザーボードユニット７０のみ、ハードディスクドライブユニット８０のみ、ミニカードコネクタ７９のみ、ファンユニット９０のみであってもよい。加えて、支持ユニットは、本体部１６の内部に収容されたユニットに限らず、例えば、光学式のドライブのように、ボタン等の操作部が本体部１６の外部に露出するユニットであってもよい。
【００７４】
また、マザーボードユニット７０、ハードディスクドライブユニット８０、ミニカードコネクタ７９、及びファンユニット９０の配置は、上記実施形態とは異なる位置に配置されていてもよい。
【００７５】
なお、上記複数の変形例は、適宜、組み合わされて実施可能である。
【００７６】
次に、上述の本願の開示する技術の一態様に関し、更に以下の付記を開示する。
【００７７】
（付記１）
押し操作により入力が行われる入力部を備えた入力ユニットと、
前記入力ユニットの下面と接触し又は近接する上面を備え、前記入力ユニットの平面視で前記上面が前記入力部の少なくとも一部と重なる支持ユニットと、
を有する電子装置。
【００７８】
（付記２）
前記支持ユニットは、前記入力ユニットが設けられる筐体の内部に設けられている、
付記１に記載の電子装置。
【００７９】
（付記３）
前記入力ユニットは、前記入力部としてのキーを有するキーボードユニットであり、
前記支持ユニットは、前記キーボードユニットからの電気信号が入力される回路基板を含む、
付記２に記載の電子装置。
【００８０】
（付記４）
前記回路基板は、前記筐体に設けられた複数のボスで支持されている、
付記３に記載の電子装置。
【００８１】
（付記５）
前記キーボードユニットは、前記筐体の裏側に両面テープで貼り付けられている、
付記３又は付記４に記載の電子装置。
【００８２】
（付記６）
前記キーボードユニットは、アイソレーションタイプである、
付記３から付記４のいずれか一つに記載の電子装置。
【００８３】
（付記７）
前記回路基板の回路を形成する電子部品は、前記上面とは反対側の面に実装されており、前記上面が非実装面を有する、
付記３〜付記６のいずれか一つに記載の電子装置。
【００８４】
（付記８）
前記回路基板は、前記上面の全体が非実装面とされ、前記入力部が押し操作されたとき、前記上面の全体で前記入力ユニットを支持する、
付記７に記載の電子装置。
【００８５】
（付記９）
前記支持ユニットは、前記回路基板に接続されるコネクタを含む、
付記３〜付記８のいずれか一つに記載の電子装置。
【００８６】
（付記１０）
前記回路基板には、周縁から切り込まれた少なくとも一つの開口が形成され、
前記開口の内側には、ハードディスクドライブユニット及びファンユニットの少なくとも一方が収容されている、
付記３〜付記９のいずれか一つに記載の電子装置。
【００８７】
（付記１１）
前記支持ユニットは、前記ハードディスクドライブユニット及び前記ファンユニットの少なくとも一方を含む、
付記１０に記載の電子装置。
【００８８】
（付記１２）
前記支持ユニットは、前記ハードディスクドライブユニット及び前記ファンユニットを含み、
前記入力ユニットを平面視して、前記ハードディスクドライブユニットが前記ファンユニットよりも前記入力ユニットの中央に近い位置に配置されている、
付記１１に記載の電子装置。
【００８９】
（付記１３）
前記入力部が複数設けられ、
前記支持ユニットは、押し操作の押圧力に抵抗する抵抗力が複数の前記入力部で同じとなるように、材質及び配置が異なる複数のユニットで構成されている、
付記１〜付記１２のいずれか一つに記載の電子装置。
【００９０】
（付記１４）
前記複数のユニットは、前記入力ユニットの長手方向に間隔をあけて配置されている、
付記１３に記載の電子装置。
【００９１】
（付記１５）
前記複数のユニットは、前記抵抗力が複数の前記入力部で同じとなるように、前記入力ユニットの前記下面との間隔が異なっている、
付記１３又は付記１４に記載の電子装置。
【００９２】
（付記１６）
前記入力ユニット及び前記支持ユニットは、ノート型パーソナルコンピュータの本体部に設けられている、
付記１〜付記１５のいずれか一つに記載の電子装置。
【符号の説明】
【００９３】
１０  パーソナルコンピュータ（電子装置の一例）
６０  キーボードユニット（入力ユニットの一例）
６２  キー（入力部の一例）
６４Ａ  下面
７０  マザーボードユニット（支持ユニット及び回路基板の一例）
７０Ａ  上面（非実装面の一例）
７４  ＣＰＵ（電子部品の一例）
７６  メモリ基板（電子部品の一例）
７９Ａ  上面
８０  ハードディスクドライブユニット（支持ユニットの一例）
８２Ａ  上面
９０  ファンユニット（支持ユニットの一例）
９２Ａ  上面
【図１】
2014235663.tif 000003
【図２】
2014235663.tif 000004
【図３】
2014235663.tif 000005
【図４】
2014235663.tif 000006
【図５】
2014235663.tif 000007
【図６】
2014235663.tif 000008
【図７】
2014235663.tif 000009
【図８Ａ】
2014235663.tif 000010
【図８Ｂ】
2014235663.tif 000011
【図８Ｃ】
2014235663.tif 000012
【図９Ａ】
2014235663.tif 000013
【図９Ｂ】
2014235663.tif 000014
【図１０Ａ】
2014235663.tif 000015
【図１０Ｂ】
2014235663.tif 000016
【図１１】
2014235663.tif 000017
【図１２Ａ】
2014235663.tif 000018
【図１２Ｂ】
2014235663.tif 000019
【図１３Ａ】
2014235663.tif 000020
【図１３Ｂ】
2014235663.tif 000021
【図１４Ａ】
2014235663.tif 000022
【図１４Ｂ】
2014235663.tif 000023
【図１５】
2014235663.tif 000024
【図１６Ａ】
2014235663.tif 000025
【図１６Ｂ】
2014235663.tif 000026
【図１７Ａ】
2014235663.tif 000027
【図１７Ｂ】
2014235663.tif 000028
【図１８Ａ】
2014235663.tif 000029
【図１８Ｂ】
2014235663.tif 000030
【図１９Ａ】
2014235663.tif 000031
【図１９Ｂ】
2014235663.tif 000032